(57)【特許請求の範囲】
【請求項１】
差込体２は基部１５の両側に、外側に係合部１７を備えた係合杆１６、基部１５の中央にガイド杆１８をそれぞれ突設し、基部１５の反対面における両側に支持部１９を突設し、支持部１９間にベルトの取付部２８を有する下面板２１と、下面板２１の表面を被覆する上面板２０とを架橋状に配設し、上面板２０と下面板２１との間にベルトの挿入口２２を形成し、基部１５は円弧状に膨出させて下面板２１にベルトの調整部２６を設け、バックル本体１は、上面板３、下面板４、両側壁５から形成され、一端に湾曲状に凹設した差込体２の差込口６、他端にベルトの挿入口７を設け、下面板４の端部にベルトの取付部９を設け、ベルトの取付部９、２８にはベルトの挿入口７、２２に連通するベルトの挿通孔２４を形成し、取付部９、２８の少なくとも一方に２条のベルトの挿通孔２４を形成し、挿通孔２４の間にベルト引掛用の引掛杆２５を設け、引掛杆２５の表面は凹凸状に形成してベルト調整部２６を形成し、両側壁５に係合杆１６と係合する係合孔８を設けてなることを特徴とするバックル。
【発明の詳細な説明】
【０００１】
【発明の属する技術分野】
この発明は、雌雄部材すなわちバックル本体と差込体との差込動作によるバックルであって、一般に被服、鞄、ヘルメット、ベビーカー、あるいはスポーツ用具などに用いられるベルト緊締用のバックルに関するものである。
【０００２】
【従来の技術】
従来、この種のバックル本体と差込体とから形成されたバックルは、図１８に示すように扁平な筒状体から形成され、両側面に開口部を設けたバックル本体と、ベルト折返部と係止杆とを有するベルト取付部を一端側に設け、ベルト取付部から他端側へ一対の可撓性のある操作杆を両側に突設し、この操作杆の外側面に係合部を設けて、前記バックル本体の開口部に係合させるバックルにおいて、バックル本体の上面板を延長して延出部を設け、バックル本体と差込体とが係合したとき、ベルトを折返杆に引っ掛け、折り返した状態のベルトの上面へバックル本体の上面板の延出部を圧接し、ベルトの緊締が緩むのを阻止するとともに、ベルトの折返部を隠蔽して表面から散見できない形態に形成したバックルがアメリカ特許第５３０９６１０号明細書に開示されている。
【０００３】
また図１９に示すバックルは一般によく知られており、バックルはバックル本体と差込体とから形成され、バックル本体は扁平な筒状体から形成され、両側面に差込体の操作杆に設けた係合部と係合できる開口部が設けられている。そして差込体はベルト係止杆、その内方に段部を設けたベルト折返杆、その内方に基杆を設け、ベルト折返杆の段部に向け付勢された弾性突起を弾接させ、基杆の内方側へ外側に係合部を設けた一対の操作杆を突設して形成する。このバックルの使用はベルトを折返杆に引っ掛けて折り返した状態のベルトに対し、弾性突起を段部に向けて弾出させることによって、ベルトを圧接し、ベルトの緊締が緩むのを阻止する形態のバックルである。
【０００４】
【発明が解決しようとする課題】
前項で述べた図１８に示すバックルは、バックル本体に差込体を差し込み係合させたとき、差込体の折返杆にベルトを取り付けた取付部はバックル本体の上面板によって隠蔽され、表面からは散見できないが、バックル本体におけるベルトを取り付けた取付部は露呈し目視することができる。また差込体自体をみてもベルトの取付部が露呈しており、バックル本体と差込体とのベルトの取付部を完全に隠蔽するバックルではない。またバックル本体の上面板の延出部分でのバックルが分厚くなり不体裁でありデザイン的にも好ましい形態のバックルとはいえないなど問題点がある。
【０００５】
また、図１９に示す従来よく知られたバックルも、バックル本体と差込体とにおけるベルトを取り付けた取付部が完全に露呈し服飾上からも外観が美しいとはいえない。しかもバックル自体が直線基調であるため、デザイン的にも好ましいバックルであるとはいえないなど問題点がある。
【０００６】
この発明は、上述の問題点を考慮して発明されたものであり、この発明のうち請求項１記載の発明は、バックル本体と差込体とから形成されたバックルにおいて、バックル本体に設けるベルトの取付部および差込体に設けるベルトの取付部を隠蔽タイプに形成し、ベルトを簡単に調整できる機能を備え、しかもバックル本体と差込体との接触部分を直線基調でなく円弧曲線を基調とした形態に形成し、デザイン上きわめて美しいバックルであり、ベルトの取り付けが容易で取付強度があるバックルを提供することが主たる目的である。
【０００７】
【課題を解決するための手段】
前記の目的を達成するため、この発明のうち請求項１記載の発明は、バックルはバックル本体１と差込体２とから形成され、差込体２は基部１５の両側に、外側にバックル本体１の係合孔８と係合する係合部１７を備えた係合杆１６を突設し、また基部１５の中央にバックル本体１の差込口６に挿入できるガイド杆１８を突設し、基部１５の反対面すなわち係合杆１６およびガイド杆１８を突設した方向と反対側における両側に支持部１９を突設し、この支持部１９間にベルトの取付部２８を有する下面板２１と、下面板２１の表面を被覆するように上面板２０を架橋状に配設し、これら上面板２０と下面板２１との間にベルトが挿入できるベルトの挿入口２２を形成し、基部１５は円弧状に膨出させて下面板２１にベルトの調整部２６を設け、バックル本体１は、上面板３、下面板４、両側壁５から形成され、その一端に湾曲状に凹設した差込体２を差し込む差込口６を設け、他端にベルトが挿入できるベルトの挿入口７を設け、下面板４の端部にベルトを取り付ける取付部９を設け、ベルトの取付部９、２８にはベルトの挿入孔７、２２に連通するベルト通し用のベルトの挿通孔２４を形成し、ベルトの取付部９、２８の少なくとも一方に２条のベルトの挿通孔２４を形成し、挿通孔２４の間にベルト引掛用の引掛杆２５を設け、この引掛杆２５の表面を凹凸状に形成してベルトの長さ調整ができるベルト調整部２６を形成し、両側壁５に差込体２の係合杆１６と係合できる係合孔８を設けたバックルを主な構成とするものである。
【０００８】
【発明の実施の形態】
以下、この発明のバックルの実施の形態について、図面を参照しながら具体的に説明する。
【０００９】
この発明のバックルは、図１に示すようにバックル本体１と差込体２とから形成され、バックル本体１に差込体２を差し込む挿脱自在なバックルである。バックル本体１および差込体２は、それぞれポリアセタール、ポリアミド、ポリプロピレン、ポリブチレンテレフタレートなどの熱可塑性樹脂を用いて射出成形加工または押出成形加工によって一体成形したバックルである。
【００１０】
バックルにおけるバックル本体１は、図１に示すように上面板３、下面板４、および上面板３と下面板４とを連結する両側の側壁５から形成された扁平な筒状体であって、一端に差込体２を差し込むための差込口６を設け、他端にベルトを挿入するための挿入口７を設け、両側壁５には差込体２に設けた係合杆１６の係合部１７と係合できる開口状の係合孔８を設ける。そしてバックル本体１を平面的にみれば、図７に示すように差込口６側が湾曲状に凹設され、挿入口７側が円弧状に膨出し、係合孔８は側壁５が緩やかに円弧状に膨出している側面を円弧状に切り落とす形に湾曲させ、バックル本体全体が曲線基調から形成されている。
【００１１】
バックル本体１の下面板４は、図１２に示すようにベルトの挿入口７側にベルトを取り付けるベルトの取付部９を設け、取付部９にはベルトを挿入するためのベルトの挿入孔２４を形成するとともに、図９に示すように上面板３との間に中央縦方向に差込口６から挿入孔２４に至る間に上下を連結し区画する隔壁１０を設け、この隔壁１０の両側に差込体２に突設したガイド杆１８を挿入しガイドできるガイド溝１１を設ける。ガイド溝１１は上面板３と下面板４の内面に一定間隔の凹陥部１２を形成することによって形成されている。また上面板３には図７、９に示すように左右のガイド溝１１に通じるロゴマーク１４などを取り付けるための取付孔１３が穿設されている。バックル本体１は挿入口７側からみると、扁平なラグビーボール状を呈している。
【００１２】
一方、差込体２は図１、２に示すように円弧状に膨出する基部１５の両側端に、外側にバックル本体１の係合孔８に係合できる突出状の係合部１７を設けた係合杆１６を平行状、しかも係合杆１６に弾発性を備えさせた形に突設し、基部１５の中央にはバックル本体１に設けたガイド溝１１に挿入できるガイド杆１８を隔壁１０の厚み分をおいて平行状に突設する。このガイド杆１８は横断面形状がＨ字形を呈するように形成する。ガイド杆１８をＨ字形に形成することによって、バックル本体１の上面板３に設けた取付孔１３に取り付けるロゴマーク１４などの取付脚部を逃避するためである。したがってガイド杆１８の断面形状は必ずしもＨ字形でなくとも取付脚部を逃避できる上方が開口する、たとえば角張ったＵ字形であってもよい。なお、基部１５の前面には両側の係合杆１６の間にわたって凸状に突出する凸条部２７を設けて補強する。
【００１３】
円弧状の基部１５の反対面すなわち係合杆１６およびガイド杆１８の突設とは反対側における両側端には、図５に示すように略直角三角形状の支持部１９を突設し、この支持部１９の表面に連結して上面板２０を架橋状に配設し、また支持部１９の裏面に連結して下面板２１を架橋状に配設し、図４に示すように上面板２０と下面板２１とが重なりあって、差込体２の表面側からは上面板２０により下面板２１を目視することができない。左右の支持部１９の間で上面板２０と下面板２１との間にベルト挿入口２２を設け、この挿入口２２から基部１５に向けてベルト通路部２３を形成し、図３に示すように扁平な筒状体に形成する。
【００１４】
上面板２０と下面板２１は、それぞれ図２に示すように基部１５側が基部１５に沿って円弧状に膨出し、またベルトの挿入口２２側も円弧状に膨出した形に形成して拡張部分を設ける。図６に示すように下面板２１の拡張部分にベルトを取り付けるベルトの取付部２８を設け、取付部２８にはベルトを挿通できる２条のベルトの挿通孔２４を穿設してベルトを引っ掛ける引掛杆２５を設け、この引掛杆２５の表面は適宜形状の凹凸面に形成してベルトのスリップを抑制し、１個の挿入口２２と２条の挿通孔２４にベルトを通すことによって、ベルトの長さ調整を簡単にできるようにベルトの調整部２６を形成する。差込体２を挿入口２２側からみると扁平なラグビーボール状を呈し、平面的にも全体が曲線を基調とした形状に形成されている。
【００１５】
以上説明したバックルの実施例は、差込体２においてベルトの長さ調整ができるように形成したものであるが、バックル本体１においてもベルトの長さ調整が行えるように形成してもよい。たとえばバックル本体１における下面板４の挿入口７側の端部に設けたベルトの取付部９に、挿入口７に連通する２条のベルトの挿通孔２４を形成するとともに、挿通孔２４間の表面に凹凸模様を形成して、挿通したベルトのスリップを抑制してベルトの長さ調整が簡単にできるように形成してもよい。したがって差込体２における下面板２１のベルトの取付部２８に、ベルトの通路部２３に連通する１条のベルトの挿通孔２４を形成して、ベルトの一端を挿通孔２４に挿通して折り返し、適宜の止め手段で固定してもよい。また差込体２とバックル本体１の両方のベルトの取付部９、２８に２条のベルトの挿通孔２４を形成して、両方でベルトの長さを調節できるようにしてもよい。
【００１６】
バックルの使用態様は、図１３〜１５に示すようにバックル本体１の上面板３と下面板４との間に設けたベルトの挿入口７からベルトを挿入して、ベルトの取付部９に形成したベルトの挿通孔２４を通してベルトの端部を縫着などして固定する。また差込体２はバックル本体１と同様にベルトを挿入口２２から挿入し、ベルトの端部を２条の挿通孔２４を捲回してベルトの挿入口２２から引き出してもよいが、好ましくはベルトの一端を取付部２８に形成した２条の挿通孔２４の一方から挿入し、ベルトの他端を他方のベルトの挿通孔２４へ挿入してベルトの両端部を挿入口２２から引き出す方がベルトの取り付けが容易である。ベルトを引掛杆２５に引っ掛けた後、ベルトの端部を引っ張ると、引掛杆２５の表面に設けた凹凸状の調整部２６によってベルトは強固に締め付け固定される。
【００１７】
上記のようにベルトをバックル本体１と差込体２とに装備させた後、差込体２のガイド杆１８および係合杆１６をバックル本体１の差込口６から挿入し、係合杆１６に設けた係合部１７をバックル本体１の係合孔８に係合させて、バックル本体１と差込体２とを組み合わせて固定する。バックル本体１と差込体２とを差し込み固定した状態においてはバックル全体が図１３に示すように円弧曲線を基調とした掴み易く係脱操作が容易にできる形に形成されており、デザインの優れたバックルに仕上げられる。組み合されたバックルは差込体２の弾発性を備えた係合杆１６を内側へ押圧することによって、係合部１７が係合孔８から脱出し、差込体２は係合部１７の弾発性によってバックル本体１から自動的に脱却させることができる。
【００１８】
図１６は差込体２の変形例を示す正面図である。この変形例によれば、基部１５の一方面に係合杆１６、ガイド杆１８を突設し、基部１５の反対面の両側に支持部１９を側方へ突設し、両支持部１９の間に支持部１９の裏面と連結して下面板２１に架橋状に配設されている。そして両支持部１９の内側面には支持部１９の表面よりも低く段差状に形成された棚部２９が設けられ、さらに支持部１９の側面を貫通する透孔３０が穿設されている。
【００１９】
この変形例においては上面板２０が差込体２とは別体に形成され、図１７に示すように、上面板２０はその裏面が棚部２９の上面に当接して戴置され、かつ裏面の左右両側縁に先端に係合突部３２を有する一対の係合片３１を突設し、係合突部３２が支持部１９に穿設した透孔３０と係合可能に形成し、上面板２０と差込体２を係合させることにより、上面板２０と下面板２１との間にベルトの挿入口２２および通路部２３が形成され、ベルトの取付部２８に取り付けられたベルトを差込体２の表面から目視できないように隠蔽し、ベルトの取り付け状態を安定して維持することができる。
【００２０】
【発明の効果】
この発明のバックルは、以上説明したとおりの構成であり、この構成によって下記の効果を奏する。
【００２１】
この発明のうち請求項１記載の発明は、差込体が基部の両側に、外側に係合部を備えた係合杆、基部の中央にガイド杆をそれぞれ突設し、基部の反対面における両側に支持部を突設し、支持部間にベルトの取付部を有する下面板と、下面板の表面を被覆する上面板とを架橋状に配設し、上面板と下面板との間にベルトの挿入口を形成し、基部は円弧状に膨出させて下面板にベルトの調整部を設け、バックル本体は、上面板、下面板、両側壁から形成され、一端に湾曲状に凹設した差込体の差込口、他端にベルトの挿入口を設け、下面板の端部にベルトの取付部を設け、ベルトの取付部にはベルトの挿入口に連通するベルトの挿通孔を形成し、取付部の少なくとも一方に２条のベルトの挿通孔を形成し、挿通孔の間にベルト引掛用の引掛杆を設け、引掛杆の表面は凹凸状に形成してベルト調整部を形成し、両側壁に係合杆と係合する係合孔を設けたことによって下記の効果を奏するものである。
【００２２】
バックル本体と差込体とに装備されるベルトの取付部分がそれぞれ隠蔽され、差込体の表面から散見できない部分に、ベルトの長さ調整ができる調整部を形成することができ、かつ円弧状に膨出させることにより、ベルトの取付部分を拡張部分すなわち前後に広くした部分に設けることができ、しかもベルトの調整部に配置されたベルトの状態はベルトにいかなる方向の外力が加わっても上下面板に対し水平状態を維持し、ベルトの締め付けがゆるむことのない差込体に仕上げられ、バックル本体も差込体も円弧曲線を基調とした形態であり、バックルが掴み易く操作がし易い形態であり、ベルトの取り付け操作が容易にでき、また引掛杆の表面を凹凸状に形成してベルト調整部を形成したから、ベルトの調整が簡易に行え、そのうえ確実にベルトを固定できる効果があるなど、この発明が奏する効果はきわめて顕著である。
【図面の簡単な説明】
【図１】  バックル本体と差込体とから形成されたバックルの斜視図である。
【図２】  差込体の平面図である。
【図３】  差込体の正面図である。
【図４】  図２におけるＡ−Ａ線断面図である。
【図５】  図３におけるＢ- Ｂ線断面図である。
【図６】  差込体の底面図である。
【図７】  バックル本体の平面図である。
【図８】  バックル本体の正面図である。
【図９】  図７におけるＣ−Ｃ線断面図である。
【図１０】  図７におけるＤ−Ｄ線断面図である。
【図１１】  図８におけるＥ−Ｅ線断面図である。
【図１２】  バックル本体の底面図である。
【図１３】  バックル本体と差込体とが係合し組み合された状態を示すバックルの平面図である。
【図１４】  図１３におけるＦ−Ｆ線断面図である。
【図１５】  図１３におけるＧ−Ｇ線断面図である。
【図１６】  バックルの差込体の変形例を示す正面図である。
【図１７】  同上差込体と上面板とを組み合せた状態を示す要部縦断面図である。
【図１８】  公知のバックルの断面図である。
【図１９】  他の公知のバックルの平面図である。
【符号の説明】
１            バックル本体
２            差込体
３            上面板（バックル本体）
４            下面板（バックル本体）
５            側壁
６            差込口
７            挿入口（バックル本体）
８            係合孔
９            取付部（バックル本体）
１０            隔壁
１１            ガイド溝
１３            取付孔
１５            基部
１６            係合杆
１７            係合部
１８            ガイド杆
２０            上面板（差込体）
２１            下面板（差込体）
２２            挿入口（差込体）
２４            挿通孔
２５            引掛杆
２６            調整部
２８            取付部（差込体）
【図１】
0003737019.tif 000002
【図２】
0003737019.tif 000003
【図３】
0003737019.tif 000004
【図４】
0003737019.tif 000005
【図５】
0003737019.tif 000006
【図６】
0003737019.tif 000007
【図７】
0003737019.tif 000008
【図８】
0003737019.tif 000009
【図９】
0003737019.tif 000010
【図１０】
0003737019.tif 000011
【図１１】
0003737019.tif 000012
【図１２】
0003737019.tif 000013
【図１３】
0003737019.tif 000014
【図１４】
0003737019.tif 000015
【図１５】
0003737019.tif 000016
【図１６】
0003737019.tif 000017
【図１７】
0003737019.tif 000018
【図１８】
0003737019.tif 000019
【図１９】
0003737019.tif 000020